(57)【特許請求の範囲】
【請求項１】
円筒体と、
該円筒体の先端に設けられ、該円筒体の径方向に架け渡されるように配置された直線状の尖端を軸方向に向けて配置される軸方向刃部と、
該軸方向刃部の裏側に配置可能に設けられ、尖端を前記円筒体の径方向に向けた径方向刃部と、を備え、
前記円筒体が、前記軸方向刃部を境界線としてその両側に開口する開口部を有し、
前記径方向刃部が、前記円筒体の軸方向に平行な軸回りに回転可能であることを特徴とする観察面用カッタ。
【請求項２】
前記径方向刃部に接続され、該径方向刃部を回転させる回転力を伝達する支持部材を備える請求項１に記載の観察面用カッタ。
【請求項３】
前記軸方向刃部と前記径方向刃部とがほぼ同じ幅寸法、または、前記軸方向刃部の方が前記径方向刃部より大きい幅寸法を有する請求項１または請求項２に記載の観察面用カッタ。
【請求項４】
前記軸方向刃部の裏面と前記径方向刃部の表面とが接触状態に配置される請求項１から請求項３のいずれかに記載の観察面用カッタ。
【請求項５】
前記軸方向刃部が、前記円筒体の前記軸から径方向にずらした位置に配置されている請求項１から請求項４のいずれかに記載の観察面用カッタ。
【請求項６】
前記円筒体が、前記軸方向刃部を境界線としてその両側に基端側に向かって半径方向外方に傾斜する傾斜面を有する請求項１から請求項５のいずれかに記載の観察面用カッタ。
【請求項７】
前記傾斜面が、前記円筒体の周方向に尖端を向ける周方向刃部を有する請求項６に記載の観察面用カッタ。
【請求項８】
前記支持部材が、前記径方向刃部を先端に有する円筒部であり、前記径方向刃部を境界線としてその両側に基端側に向かって半径方向外方に傾斜する円筒部傾斜面と、該円筒部傾斜面に開口する傾斜面開口部とを有し、
該傾斜面開口部が、前記円筒部の周方向に尖端を向ける傾斜面刃部を有する請求項２から請求項７のいずれかに記載の観察面用カッタ。
【発明の詳細な説明】
【技術分野】
【０００１】
本発明は、観察面用カッタに関するものである。
【背景技術】
【０００２】
従来、動物等の生体試料の表面下を生きたままの状態で観察する装置として、生体組織に穴をあけて観察面を形成する観察面用カッタが知られている（例えば、特許文献１参照。）。特許文献１に記載の観察面用カッタは、円環状の切刃と径方向に架け渡されるワイヤとを備えた円筒体の先端を生体組織の表面に接触させて軸線まわりに回転することにより、切刃によって生体組織に円筒状の切り込みを形成するとともにワイヤによって切り込みの内部の生体組織を切断し、平坦な観察面を底面に有する略円筒状の穴を生体組織に形成することができるようになっている。
【先行技術文献】
【特許文献】
【０００３】
【特許文献１】特開２００９−４５３３９号公報
【発明の概要】
【発明が解決しようとする課題】
【０００４】
しかしながら、特許文献１に記載の観察面用カッタは、切れ味を良くするために細いワイヤを使う必要があるが細いワイヤは切れやすいという問題がある。また、温度変化等によりワイヤの張力が変化するため使用直前にワイヤの張力を調整する必要があり、手間がかかるという不都合がある。
【０００５】
本発明は上述した事情に鑑みてなされたものであって、耐久性があり張力調整等の手間がかからず、平坦な観察面を有する穴を簡易に形成することができる観察面用カッタを提供することを目的とする。
【課題を解決するための手段】
【０００６】
上記課題を解決するために、本発明は以下の手段を採用する。
本発明は、円筒体と、該円筒体の先端に設けられ、該円筒体の径方向に架け渡されるように配置された直線状の尖端を軸方向に向けて配置される軸方向刃部と、該軸方向刃部の裏側に配置可能に設けられ、尖端を前記円筒体の径方向に向けた径方向刃部と、を備え、前記円筒体が、前記軸方向刃部を境界線としてその両側に開口する開口部を有し、前記径方向刃部が、前記円筒体の軸方向に平行な軸回りに回転可能であることを特徴とする観察面用カッタを提供する。
【０００７】
本発明によれば、軸方向刃部の裏面に径方向刃部を配置した状態で、生体試料の表面に軸方向刃部を押し当てて円筒体を刺し入れることにより、切断された生体組織を円筒体の開口部を介して内部にも入り込ませ、試料内部に略円筒状の切り込みを形成することができる。
【０００８】
また、試料内部に円筒体が挿入された状態で円筒体の軸に平行な軸まわりに径方向刃部を回転させることにより、略円筒状の切り込みの先端付近において生体組織を回転軸に直交する方向に切断することができる。
【０００９】
したがって、試料内部に円筒体を残して切断された生体組織を取り出せば、生体試料に平坦な観察面を底面に有する略円筒状の穴を簡易に形成することができる。これにより、生体組織の観察面における鮮明な観察像を取得することが可能になる。また、円筒体の先端の一部を径方向刃部とすることで、ワイヤ等を用いる場合と比較して耐久性を向上するとともに張力調整等の手間を省くことができる。
【００１０】
上記発明においては、前記径方向刃部に接続され、該径方向刃部を回転させる回転力を伝達する支持部材を備えることとしてもよい。
このように構成することで、支持部材を軸まわりに回転させて径方向刃部に回転力を伝達することにより、径方向刃部を容易に回転させることができる。また、支持部材を軸方向に移動させることにより、径方向刃部を容易に円筒体に挿入したり円筒体から引き抜いたりすることができる。なお、支持部材としては、例えば、径方向刃部の両端に接続される円筒部材でもよいし、または、径方向刃部の中心位置に接続される円柱部材でもよい。
【００１１】
また、上記発明においては、前記軸方向刃部と前記径方向刃部とがほぼ同じ幅寸法、または、前記軸方向刃部の方が前記径方向刃部より大きい幅寸法を有することとしてもよい。
このように構成することで、軸方向刃部の裏面に径方向刃部を配置した際に軸方向刃部から径方向刃部がはみ出るのを防ぐことができる。したがって、生体試料に軸方向刃部を刺し入れる際の抵抗を減らし、試料内部に円筒体を挿入し易くするとともに生体試料に与えるダメージを低減することができる。
【００１２】
また、上記発明においては、前記軸方向刃部の裏面と前記径方向刃部の表面とが接触状態に配置されることとしてもよい。
このように構成することで、軸方向刃部により深さ方向に切断された生体組織の切り込みの先端近傍において、径方向刃部により生体組織を軸に直交する方向に切断することができ、略円筒状の穴を無駄なく効率的に切り抜くことができる。
【００１３】
また、上記発明においては、前記軸方向刃部が、前記円筒体の前記軸から径方向にずらした位置に配置されていることとしてもよい。
このように構成することで、円筒体の軸と対物レンズの光軸とを一致させても軸方向刃部は対物レンズの観察範囲の妨げとならないので、円筒体の内径寸法を対物レンズの外形寸法より僅かに大きい大きさまで細径化し、生体試料に与えるダメージの軽減を図ることができる。
【００１４】
また、上記発明においては、前記円筒体が、前記軸方向刃部を境界線としてその両側に基端側に向かって半径方向外方に傾斜する傾斜面を有することとしてもよい。
このように構成することで、生体試料に軸方向刃部を刺し入れていくと同時に、切断された生体組織を軸方向刃部から連続する傾斜面に沿って円筒体の基端側に逃がし、生体組織が円筒体の先端によって押し潰されるのを防ぐことができる。これにより、生体試料の変形を抑制し、生体試料に与えるダメージを低減することができる。
【００１５】
また、上記発明においては、前記傾斜面が、前記円筒体の周方向に尖端を向ける周方向刃部を有することとしてもよい。
このように構成することで、試料内部に挿入した円筒体を軸まわりに回転させることにより、周方向刃部によって円筒体の外周と軸方向刃部との間の生体組織を切断し、深さ方向と幅方向とに連続する切り込みを形成することができる。これにより、略円筒状に切断された生体組織を簡易に取り出すことができ、生体組織が完全に切断されていないまま引き抜く場合と比較して生体試料に与えるダメージを低減することができる。
また、上記発明においては、前記支持部材が、前記径方向刃部を先端に有する円筒部であり、前記径方向刃部を境界線としてその両側に基端側に向かって半径方向外方に傾斜する円筒部傾斜面と、該円筒部傾斜面に開口する傾斜面開口部とを有し、該傾斜面開口部が、前記円筒部の周方向に尖端を向ける傾斜面刃部を有することとしてもよい。
【発明の効果】
【００１６】
本発明によれば、耐久性があり張力調整等の手間がかからず、平坦な観察面を有する穴を簡易に形成することができるという効果を奏する。
【図面の簡単な説明】
【００１７】
【図１】本発明の一実施形態に係る観察面用カッタの軸方向断面図である。
【図２】図１の軸方向カッタの概略構成図である。
【図３】図１の観察面用カッタの先端の軸方向断面図である。
【図４】図１の径方向カッタの概略構成図である。
【図５】（ａ）は図１の観察面用カッタを生体試料に挿入する様子を示す軸方向断面図であり、（ｂ）は（ａ）の観察面用カッタを先端側から見た平面図である。
【図６】（ａ）は生体試料の内部で径方向カッタを軸まわりに回転させる様子を示す軸方向断面図であり、（ｂ）は（ａ）の観察面用カッタを先端側から見た平面図である。
【図７】生体試料に挿入された観察面用カッタから径方向カッタを引き抜く様子を示す軸方向断面図である。
【図８】（ａ）は生体試料の内部に挿入された軸方向カッタに対物レンズを挿入する様子を示す軸方向断面図であり、（ｂ）は（ａ）の軸方向カッタおよび対物レンズを先端側から見た平面図である。
【図９】本発明の一実施形態の第１の変形例に係る軸方向カッタを示す斜視図である。
【図１０】図９の軸方向カッタを備える観察面用カッタの軸方向断面図である。
【図１１】（ａ）は図１０の観察面用カッタを基端側から見た平面図であり、（ｂ）は図１０の観察面用カッタを先端側から見た平面図であり、（ｃ）は（ｂ）の径方向カッタを軸まわりに回転させた状態の別の平面図である。
【図１２】（ａ）は生体試料に挿入された観察面用カッタから径方向カッタを引き抜く様子を示す軸方向断面図であり、（ｂ）は（ａ）の観察面用カッタを先端側から見た平面図である。
【図１３】（ａ）は図１２（ａ）の軸方向カッタに対物レンズを挿入する様子を示す軸方向断面図であり、（ｂ）は（ａ）の軸方向カッタおよび対物レンズを先端側から見た平面図である。
【図１４】本発明の一実施形態の第２の変形例に係る径方向カッタを示す斜視図である。
【図１５】図１４の観察面用カッタの先端の軸方向断面図である。
【図１６】（ａ）は図１４の径方向カッタを備える観察面用カッタの軸方向断面図であり、（ｂ）は（ａ）の観察面用カッタを先端側から見た平面図である。
【発明を実施するための形態】
【００１８】
以下、本発明の一実施形態に係る観察面用カッタについて、図面を参照して説明する。
本実施形態に係る観察面用カッタ１は、図１に示すように、尖端１３を軸方向に向けた軸方向切刃（軸方向刃部）１１を有する略円筒状の軸方向カッタ（円筒体）１０と、軸方向カッタ１０に挿脱可能に設けられ、尖端２３を径方向に向けた径方向切刃（径方向刃部）２１を有する略円筒状の径方向カッタ２０とを備えている。また、観察面用カッタ１には、軸方向カッタ１０に径方向カッタ２０を挿入した状態でこれらを相互に位置決め固定するガイド３０が備えられている。
【００１９】
軸方向カッタ１０は、例えば、金属材料からなり、図２に示すように、軸方向に延びる円筒部１５の先端に軸方向切刃１１が一体的に形成されている。この軸方向カッタ１０は、例えば、有底円筒部材の底面における中心位置を横切る直線から軸方向に向かって互いに半径方向外方に傾斜する２つの断面を切り落とした形状を有している。
【００２０】
軸方向切刃１１は、円筒部１５の先端に径方向に架け渡されるように設けられ、円筒部１５の中心軸Ｓに直交する位置に配置されている。また、軸方向切刃１１は、図３に示すように、尖端１３から軸方向カッタ１０の基端側に向かって半径方向外方に傾斜する一対の切刃傾斜面１１Ａ，１１Ｂにより構成されている。この軸方向切刃１１の裏面は略平坦な形状を有している。
【００２１】
また、軸方向カッタ１０の円筒部１５は、軸方向切刃１１を境界線としてその両側に軸方向に向かって互いに半径方向外方に傾斜する２つの円筒部傾斜面（傾斜面）１７Ａ，１７Ｂを有している。これら円筒部傾斜面１７Ａ，１７Ｂは、それぞれ切刃傾斜面１１Ａ，１１Ｂから連続的に形成されている。また、円筒部傾斜面１７Ａ，１７Ｂには、それぞれ円筒部１５の空洞部に貫通する開口部１９Ａ、１９Ｂが設けられている。
【００２２】
径方向カッタ２０は、軸方向カッタ１０と同様に、例えば、金属材料からなり、図４に示すように、軸方向に延びる円筒部（支持部材）２５の先端に径方向切刃２１が一体的に形成されている。この径方向カッタ２０は、例えば、有底円筒部材の底面における中心位置からずらした位置を横切る互いに平行な２つの直線からそれぞれ軸方向に向かって半径方向外方に傾斜する２つの断面を切り落とした形状を有している。
【００２３】
径方向切刃２１は、円筒部２５の先端に径方向に架け渡されるように設けられ、円筒部２５の中心軸Ｒに直交する位置に配置されている。また、径方向切刃２１は、長手方向に延びる両側端がそれぞれ尖端２３を形成している。また、径方向切刃２１は、軸方向切刃１１の幅寸法より若干小さい幅寸法を有し、その表面は略平坦な形状を有している。径方向カッタ２０の円筒部２５の先端の一部を径方向切刃２１とすることで、切刃としてワイヤ等を用いる場合と比較して耐久性を向上するとともに張力調整等の手間を省くことができる。
【００２４】
また、径方向カッタ２０の円筒部２５は、軸方向カッタ１０の円筒部１５と同様に、径方向切刃２１を境界線としてその両側に基端側に向かって互いに半径方向外方に傾斜する２つの円筒部傾斜面２７Ａ，２７Ｂを有している。また、これら円筒部傾斜面２７Ａ，２７Ｂには、円筒部２５の空洞部に貫通する開口部２９Ａ、２９Ｂが設けられている。
また、径方向カッタ２０の円筒部２５は、軸方向カッタ１０の円筒部１５の内径寸法とほぼ同じか僅かに小さい外形寸法を有し、また、円筒部１５より長い軸方向長さを有している。
【００２５】
このように構成された軸方向カッタ１０と径方向カッタ２０とを同軸にして相互に組み付けると、軸方向切刃１１の裏側に径方向切刃２１が配置され、また、軸方向切刃１１の開口部１９Ａ、１９Ｂと径方向切刃２１の開口部２９Ａ、２９Ｂとが連通して開口するようになっている。また、径方向カッタ２０の円筒部２５を中心軸Ｒまわりに回転すると、径方向切刃２１に回転力が伝達されて径方向切刃２１が軸方向カッタ１０の中心軸Ｓまわりに回転させられるようになっている。
【００２６】
ガイド３０は、軸方向に異なる内径寸法を有する段付き形状の環状部材である。このガイド３０は、軸方向カッタ１０の円筒部１５の外形寸法より僅かに大きい内径寸法を有する大径部３１および径方向カッタ２０の円筒部２５の外形寸法より僅かに大きい内径寸法を有する小径部３３を有している。
【００２７】
また、ガイド３０は、軸方向カッタ１０とこれに挿入された径方向カッタ２０との境界付近に配置され、固定ネジ３５により大径部３１に軸方向カッタ１０を固定し、固定ネジ３７により小径部３３に径方向カッタ２０を固定することができるようになっている。これにより、軸方向切刃１１の裏面に径方向切刃２１の表面を密着させた状態で、軸方向カッタ１０と径方向カッタ２０とを軸方向および周方向に位置決め固定することができるようになっている。
【００２８】
以下、このように構成された観察面用カッタ１の作用について説明する。
例えば、本実施形態に係る観察面用カッタ１を用いて生体試料の脳組織Ｔを観察するには、軸方向カッタ１０の内部に径方向カッタ２０を挿入し、図５（ａ）、（ｂ）に示すように、軸方向切刃１１の向きと径方向切刃２１の向きを一致させた状態で、ガイド３０により軸方向カッタ１０と径方向カッタ２０とを位置決め固定する。
【００２９】
軸方向カッタ１０と径方向カッタ２０とを位置決め固定したら、観察面用カッタ１の先端、すなわち、軸方向切刃１１を生体試料の表面に押し付けて軸方向に押圧する。これにより、鋭利な軸方向切刃１１によって生体試料の表面に切り込みを入れ、生体試料の表面下の脳組織Ｔに観察面用カッタ１を刺し入れることができる。
【００３０】
この場合において、観察面用カッタ１を刺し入れていくと、軸方向切刃１１による脳組織Ｔの切り口を切刃傾斜面１１Ａ，１１Ｂおよびこれらに連続する円筒部傾斜面１７Ａ，１７Ｂに沿って円筒部１５の基端側に逃がし、また、切断された脳組織Ｔを軸方向カッタ１０の開口部１９Ａ，１９Ｂおよび径方向カッタ２０の開口部２９Ａ，２９Ｂを介して観察面用カッタ１の内部に入り込ませることができる。これにより、脳組織Ｔが押し潰されたり破壊されたりして変形するのを抑制し、生体試料に大きなダメージを与えることなく脳組織Ｔに略円筒状の切り込みを形成することができる。
【００３１】
続いて、脳組織Ｔの所望の深さ位置まで観察面用カッタ１を刺し入れた状態で固定ネジ３５を緩め、図６（ａ），（ｂ）に示すように、軸方向カッタ１０の中心軸Ｓまわりに径方向カッタ２０を回転させる。そうすると、脳組織Ｔに形成された略円筒状の切り込みの先端付近において、径方向カッタ２０により脳組織Ｔを軸方向カッタ１０の中心軸Ｓに直交する幅方向に切断することができる。
【００３２】
脳組織Ｔの切り込みの先端が切断されたら、固定ネジ３７を緩め、固定ネジ３５を再び締め、図７に示すように、軸方向カッタ１０を脳組織Ｔの内部に残したまま径方向カッタ２０およびガイド３０を引き抜く。これにより、略円筒状に切り取られた脳組織Ｔを径方向カッタ２０とともに取り出し、略平坦な観察面Ｆを底面に有する略円筒状の観察穴Ｈを脳組織Ｔの内部に形成することができる。
【００３３】
次に、観察穴Ｈを生理食塩水等により洗浄し、図８（ａ），（ｂ）に示すように、脳組織Ｔに挿入されている軸方向カッタ１０の内部に顕微鏡本体４０に取り付けられた細径の対物レンズ４１を挿入する。対物レンズ４１は、軸方向カッタ１０の中心軸Ｓに対して光軸Ｋを偏心させた位置に配置し、開口部１９Ａまたは開口部１９Ｂの一方を介して観察範囲Ｗを確保する。これにより、脳組織Ｔの観察面Ｆを観察することができる。
【００３４】
以上説明したように、本実施形態に係る観察面用カッタ１によれば、軸方向カッタ１０および径方向カッタ２０により、生体試料の表面下にきれいに切り取られた略平坦な観察面Ｆを有する観察穴Ｈを簡易に形成することができる。これにより、観察穴Ｈに対物レンズ４１を挿入し、脳組織Ｔにおける観察面Ｆの鮮明な観察像を取得することができる。
【００３５】
なお、本変形例においては以下のように変形することができる。
例えば、本実施形態においては、軸方向切刃１１を円筒部１５の中心軸Ｓに直交する位置に配置することとしたが、第１の変形例としては、図９に示すように、円筒部１５の中心軸Ｓから径方向にずらした位置に軸方向切刃１１を配置することとしてもよい。
【００３６】
この場合、例えば、軸方向切刃１１の偏心方向とは反対側に配置される円筒部傾斜面１７Ａを円筒部１５の基端側に向かって大きく傾斜させ、開口部１９Ａを基端側に向かって大きく開口させることとすればよい。また、径方向カッタ２０は、図１０に示すように、径方向切刃２１が円筒部２５の中心軸Ｒに直交する位置に配置される形状を維持したまま径寸法を小さくすることとすればよい。このようにすることで、図１１（ａ）〜（ｃ）に示すように、軸方向切刃１１の偏心方向に径方向カッタ２０の円筒部２５を寄せた状態で、軸方向切刃１１の裏側に径方向切刃２１を配置することができる。
【００３７】
本変形例に係る観察面用カッタ１によれば、図１２（ａ），（ｂ）に示すように、観察面用カッタ１を脳組織Ｔの内部に刺し入れた後、軸方向カッタ１０を残したまま径方向カッタ２０を引き抜くと、略平坦な観察面Ｆを底面に有し径方向カッタ２０の径寸法に相当する大きさの略円筒状の観察穴Ｈを脳組織Ｔの内部に形成することができる。
【００３８】
また、図１３（ａ），（ｂ）に示すように、軸方向カッタ１０の中心軸Ｓと対物レンズ４１の光軸Ｋとを一致させても、軸方向切刃１１によって対物レンズ４１の観察範囲が妨げられることはなく、開口部１９Ａを介して観察面Ｆを観察することができる。したがって、軸方向カッタ１０の内径寸法を対物レンズ４１の外形寸法より僅かに大きい大きさまで細径化し、生体試料に与えるダメージの軽減を図ることができる。
【００３９】
なお、対物レンズ４１としては、先端に向かって径寸法が徐々に細くなる形状が望ましい。このようにすることで、脳組織Ｔに挿入されている軸方向カッタ１０の内部に対物レンズ４１を挿入する際に、軸方向カッタ１０の内部に残存する脳組織Ｔを掻き分けるようにして斜め外方に逃がし、対物レンズ４１を挿入し易くすることができる。
【００４０】
また、本実施形態においては、径方向切刃２１を支持する支持部材として円筒部２５を例示して説明したが、第２の変形例としては、例えば、図１４に示すように、径方向切刃２１の中心位置に接続され、尖端が向く方向（径方向）に対して直交する方向（中心軸方向）に延びる円柱部材５５を採用することとしてもよい。
【００４１】
このようにすることで、略円筒状の径方向カッタ２０に代えて、径方向切刃２１を含む先端が略Ｔ字状の径方向カッタ５０が構成される。これにより、軸方向カッタ１０に径方向カッタ５０を組み付けた状態で、軸方向カッタ１０の裏側に径方向カッタ２０を配置するとともに、円柱部材５５により軸まわりの回転力を径方向カッタ２０に伝達させることができる。
【００４２】
この場合、図１５に示すように、円柱部材５５は、径方向切刃２１の幅方向の寸法より小さい径寸法を有することが望ましい。また、図１６（ａ）に示すように、円柱部材５５は、径方向切刃２１を回転させ易いように、先端側の径寸法より基端側の径寸法を大きくすることとしてもよい。その場合には、図１６（ｂ）に示すように、円柱部材５５の基端部に径方向切刃２１の向きを示す方向指示マーカ５６を設けることとしてもよい。
【００４３】
また、例えば、第３の変形例として、径方向カッタ２０の円筒部傾斜面２７Ａ，２７Ｂに、周方向に尖端を向ける周方向切刃（周方向刃部、図示略）を設けることとしてもよい。このようにすることで、生体試料の内部に挿入した径方向カッタ２０を中心軸まわりに回転させることにより、周方向切刃によって円筒部２５の外周と径方向切刃２１との間の生体組織を切断し、深さ方向と幅方向とに連続する切り込みを形成することができる。
これにより、略円筒状に切断された生体組織を簡易に取り出すことができ、生体組織が完全に切断されていないまま引き抜く場合と比較して生体試料に与えるダメージを低減することができる。
【００４４】
本変形例においては、さらに軸方向カッタ１０の円筒部傾斜面１７Ａ，１７Ｂに、周方向に尖端を向ける周方向刃部を設けることとしてもよい。このようにすることで、生体試料の脳組織Ｔの内部に軸方向カッタ１０を挿入する際に、軸方向カッタ１０により脳組織Ｔを押す力を軽減することができる。
【００４５】
以上、本発明の実施形態について図面を参照して詳述してきたが、具体的な構成はこの実施形態に限られるものではなく、本発明の要旨を逸脱しない範囲の設計変更等も含まれる。例えば、本発明を上記の一実施形態および各変形例に適用したものに限定されることなく、これらの実施形態および各変形例を適宜組み合わせた実施形態に適用してもよく、特に限定されるものではない。
【符号の説明】
【００４６】
１      観察面用カッタ
１０    軸方向カッタ（円筒体）
１１    軸方向切刃（軸方向刃部）
１７Ａ，１７Ｂ    円筒部傾斜面（傾斜面）
１９Ａ，１９Ｂ    開口部
２１    径方向切刃（径方向刃部）
２５    円筒部（支持部材）
５５    円柱部材（支持部材）
【図１】
0005839856.tif 000002
【図２】
0005839856.tif 000003
【図３】
0005839856.tif 000004
【図４】
0005839856.tif 000005
【図５】
0005839856.tif 000006
【図６】
0005839856.tif 000007
【図７】
0005839856.tif 000008
【図８】
0005839856.tif 000009
【図９】
0005839856.tif 000010
【図１０】
0005839856.tif 000011
【図１１】
0005839856.tif 000012
【図１２】
0005839856.tif 000013
【図１３】
0005839856.tif 000014
【図１４】
0005839856.tif 000015
【図１５】
0005839856.tif 000016
【図１６】
0005839856.tif 000017